(57)【要約】【課題】検品作業を効率化させること。【解決手段】ピッキングされた物品を順次検知することで得られた、複数の物品についてのピッキング順を示す情報を取得し、前記ピッキング順とは逆の順で、前記複数の物品のそれぞれを示す情報を出力する、処理をコンピュータに実行させる。【選択図】図３
2015089838.tif 000002
【特許請求の範囲】
【請求項１】
ピッキングされた物品を順次検知することで得られた、複数の物品についてのピッキング順を示す情報を取得し、
前記ピッキング順とは逆の順で、前記複数の物品のそれぞれを示す情報を出力する、
処理をコンピュータに実行させるピッキングされた物品の検品支援プログラム。
【請求項２】
前記複数の物品のそれぞれを示す情報は、音声出力、リスト出力、画面出力のいずれかである、ことを特徴とする請求項１記載の検品支援プログラム。
【請求項３】
前記複数の物品は、前記ピッキング順に荷車に搭載され、出力される前記情報に従って、該荷車から取り出されることを特徴とする請求項１又は２記載の検品支援プログラム。
【請求項４】
前記情報を出力する処理は、物品の属性に基づいて前記複数の物品が分類されるグループごとに、前記ピッキング順とは逆順で、前記複数の物品のそれぞれの情報を出力する、ことを特徴とする請求項１乃至３いずれか一項記載の検品支援プログラム。
【請求項５】
前記物品の属性は、物品の重さ、外形、又は物品の種別であることを特徴とする請求項４記載の検品支援プログラム。
【請求項６】
ピッキングされた物品を順次検知することで得られた、複数の物品についてのピッキング順を示す情報を取得し、
前記ピッキング順とは逆の順で、前記複数の物品のそれぞれを示す情報を出力する、
処理をコンピュータが実行するピッキングされた物品の検品支援方法。
【請求項７】
ピッキングされた物品を順次検知することで得られた、複数の物品についてのピッキング順を示す情報を取得する取得部と、
前記ピッキング順とは逆の順で、前記複数の物品のそれぞれを示す情報を出力する出力部と、
を有するピッキングされた物品の検品支援装置。
【請求項８】
置かれている場所がそれぞれ異なる複数の物品が、該置かれている場所から取り出され荷車に積載される際に、該物品の識別子を読み込む読取部と、
前記読取部により読み込まれた識別子を、該識別子が読み込まれた順序を特定可能に記憶する記憶部と、
前記荷車に積載された物品についての検品作業を開始する旨の指示を付け付けると、前記記憶部に記憶された順序の逆順に、前記記憶部に記憶された前記識別子により特定される物品の情報を出力する出力部と、
を有することを特徴とする物品の検品支援システム。
【発明の詳細な説明】
【技術分野】
【０００１】
本発明は、検品支援プログラム、検品支援方法、検品支援装置、及び検品支援システムに関する。
【背景技術】
【０００２】
物流センタ等の倉庫からピッキングされた物品は、その出荷前に検品作業が行われる。検品作業では、ピッキングの結果が、ピッキングリスト通りであるか否か等が確認される。ピッキングリストには、ピッキング対象の物品ごとに、商品コードや、個数等が含まれる。
【０００３】
検品作業の効率化を目的として、ピッキングリストの内容を音声出力することが考案されている。ピッキングリストが音声出力されれば、作業者は、ピッキングリストを目視する手間を省くことができ、検品作業を効率化できる。
【先行技術文献】
【特許文献】
【０００４】
【特許文献１】特開平１０−１６７４２９号公報
【特許文献２】特開２００１−２２５９２６号公報
【特許文献３】特開２００８−２３０７１９号公報
【発明の概要】
【発明が解決しようとする課題】
【０００５】
しかしながら、ピッキングリストの音声出力の順序が、カート又はカーゴ等の荷車における物品の配列状況に適しているとは限らない。例えば、荷車において下の方に積まれている物品が、ピッキングリストの上位に含まれている場合、作業者には、荷車の上層の物品を避ける作業が必要とされる。
【０００６】
そこで、一側面では、検品作業を効率化させることを目的とする。
【課題を解決するための手段】
【０００７】
一つの案では、検品支援プログラムは、ピッキングされた物品を順次検知することで得られた、複数の物品についてのピッキング順を示す情報を取得し、前記ピッキング順とは逆の順で、前記複数の物品のそれぞれを示す情報を出力する、処理をコンピュータに実行させる。
【発明の効果】
【０００８】
一態様によれば、検品作業を効率化させることができる。
【図面の簡単な説明】
【０００９】
【図１】第一の実施の形態における検品支援システムの構成例を示す図である。
【図２】第一の実施の形態における検品用端末のハードウェア構成例を示す図である。
【図３】第一の実施の形態における各端末及びサーバ装置の機能構成例を示す図である。
【図４】ピッキング作業時にピッキング用端末が実行する処理手順の一例を説明するためのフローチャートである。
【図５】ピッキング作業時にサーバ装置が実行する処理手順の一例を説明するためのフローチャートである。
【図６】ピッキング順の一例を示す図である。
【図７】ピッキング履歴記憶部の構成例を示す図である。
【図８】第一の実施の形態において検品時に検品用端末が実行する処理手順の一例を説明するためのフローチャートである。
【図９】ピッキングリストの一例を示す図である。
【図１０】ピッキングリストのソート結果の一例を示す図である。
【図１１】荷車における商品の積載状況の第一の例を示す図である。
【図１２】第二の実施の形態における各端末及びサーバ装置の機能構成例を示す図である。
【図１３】第二の実施の形態において検品時に検品用端末が実行する処理手順の一例を説明するためのフローチャートである。
【図１４】商品情報記憶部の構成例を示す図である。
【図１５】商品の重さに基づく商品コードの分類例を示す図である。
【図１６】グループ単位でのピッキングリストのソート結果の一例を示す図である。
【図１７】荷車における商品の積載状況の第二の例を示す図である。
【発明を実施するための形態】
【００１０】
以下、図面に基づいて本発明の実施の形態を説明する。図１は、第一の実施の形態における検品支援システムの構成例を示す図である。図１に示される情報出力システム１おいて、サーバ装置３０は、ネットワークＮ１に接続されている。また、ピッキング用端末２０及び検品用端末１０は、ネットワークＮ１に接続されたアクセスポイント４０との無線通信を介してネットワークN１に接続可能である。したがって、サーバ装置３０と、ピッキング用端末２０及び検品用端末１０とは、通信可能である。
【００１１】
ピッキング用端末２０は、例えば、物流センタ等における倉庫に保管されている商品又は製品等の物品（本実施の形態では、「商品」として説明する。）をピッキングする作業者が利用する端末である。ピッキング用端末２０は、作業者によってピッキングされた商品から当該商品の識別情報（以下、「商品コード」という。）を読み取り、読み取られた商品コードをサーバ装置３０に送信する。なお、ピッキングとは、出荷指示の対象とされた商品を、在庫から取り出すことをいう。本実施の形態において、出荷指示の対象とされた商品のリスト（一覧）を、「ピッキングリスト」という。作業者は、ピッキングリストに基づいて、ピッキング作業を行ない、ピッキングした商品を荷車に積載する。
【００１２】
検品用端末１０は、ピッキングされた商品の検品作業を支援する端末である。検品用端末１０は、検品作業を行う作業者によって利用される。
【００１３】
なお、ピッキング用端末２０及び検品用端末１０は、それぞれ、専用の端末であってもよいし、例えば、タブレット型端末、スマートフォン、又は携帯電話等、汎用的な端末であってもよい。また、ピッキング用端末２０と、検品用端末１０とは、同一の端末であってもよい。例えば、ピッキング作業と検品作業とが同じ作業者によって行われる場合、ピッキング用端末２０と検品用端末１０とが同じ端末であると端末の持ち替えなどの必要がなくなり便利である。
【００１４】
サーバ装置３０は、ピッキングや検品に関する各種の情報を記憶するコンピュータである。
【００１５】
図２は、第一の実施の形態における検品用端末のハードウェア構成例を示す図である。図２の検品用端末１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００１６】
検品用端末１０での処理を実現するプログラムは、補助記憶装置１０２に記憶されている。メモリ装置１０３は、プログラムの起動指示があった場合に、補助記憶装置１０２からプログラムを読み出して格納する。ＣＰＵ１０４は、メモリ装置１０３に格納されたプログラムに従って検品用端末１０に係る機能を実現する。インタフェース装置１０５は、無線通信をするためのインタフェースとして用いられる。表示装置１０６はプログラムによるＧＵＩ（Graphical User Interface）等を表示する。入力装置１０７は、タッチパネル又はボタン等であり、ユーザからの操作指示の入力を受け付けるために用いられる。
【００１７】
なお、ピッキング用端末２０も、図２に示されるハードウェア構成を有していてもよい。
【００１８】
図３は、第一の実施の形態における各端末及びサーバ装置の機能構成例を示す図である。図３において、ピッキング用端末２０は、商品情報読取部２１及びピッキング情報送信部２２等を有する。これら各部は、ピッキング用端末２０にインストールされたプログラムが、ピッキング用端末２０のＣＰＵに実行させる処理により実現される。
【００１９】
商品情報読取部２１は、ピッキング用端末２０が有するバーコードリーダ又はデジタルカメラ等を利用して、例えば、商品に貼付されているバーコードからの商品コードの読み取りを制御する。なお、商品に貼付されている商品コードは、バーコードによって表現されなくてもよい。例えば、商品には、商品コードが文字列として記載されていてもよい。この場合、当該文字列を含む画像から、例えば、ＯＣＲ（Optical Character Recognition）等を利用して、商品コードが抽出されてもよい。
【００２０】
ピッキング情報送信部２２は、商品情報読取部２１によって読み取られた商品コードを、サーバ装置３０に送信する。
【００２１】
サーバ装置３０は、ピッキング情報受信部３１、ピッキング履歴記憶部３２、及びピッキングリスト記憶部３３等を有する。ピッキング情報受信部３１は、サーバ装置３０にインストールされたプログラムが、サーバ装置３０のＣＰＵに実行させる処理により実現される。ピッキング履歴記憶部３２及びピッキングリスト記憶部３３は、サーバ装置３０が有する補助記憶装置、又はサーバ装置３０にネットワークを介して接続する記憶装置等を用いて実現可能である。
【００２２】
ピッキング情報受信部３１は、ピッキング用端末２０のピッキング情報送信部２２から送信される商品コードを受信する。ピッキング履歴記憶部３２は、受信した商品コードを、ピッキング履歴記憶部３２に記憶する。したがって、ピッキング履歴記憶部３２には、ピッキングされた商品の商品コードの履歴（以下、「ピッキング履歴」という。）が記憶される。
【００２３】
ピッキングリスト記憶部３３は、ピッキングリストを示す電子データ（以下、単に「ピッキングリスト」という。）を記憶する。
【００２４】
検品用端末１０は、情報取得部１１、ピッキングリストソート部１２、及びピッキングリスト出力部１３等を有する。これら各部は、検品用端末１０にインストールされたプログラムが、ＣＰＵ１０４に実行させる処理により実現される。
【００２５】
情報取得部１１は、ピッキング履歴及びピッキングリストを、サーバ装置３０から取得（ダウンロード）する。ピッキングリストソート部１２は、複数の商品に関するピッキング履歴に基づいて、ピッキングリストを、ピッキング順（取り出し順）の逆順にソートする。ピッキングリスト出力部１３は、ソートされたピッキングリストの順番で、商品コードを音声出力する。なお、音声出力の対象は、商品コードでなく、商品名等、各商品を特定可能な他の情報であってもよい。この場合、当該他の情報は、サーバ装置３０等からダウンロードされてもよい。
【００２６】
以下、各端末及びサーバ装置３０が実行する処理手順について説明する。図４は、ピッキング作業時にピッキング用端末が実行する処理手順の一例を説明するためのフローチャートである。
【００２７】
作業者は、ピッキングリストに含まれている一つの商品をピッキングすると、当該商品に貼付されているバーコードの読み取り指示を、ピッキング用端末２０に入力する。ピッキング用端末２０の商品情報読取部２１は、読み取り指示に応じ（Ｓ１０１でＹｅｓ）、バーコードの読み取りを制御し、当該バーコードから商品コードを抽出する（Ｓ１０２）。続いて、ピッキング情報送信部２２は、抽出された商品コードをサーバ装置３０に送信する（Ｓ１０３）。
【００２８】
なお、ピッキングの作業者は、ピッキングリストをピッキング用端末２０にダウンロードし、当該ピッキングリストをピッキング用端末２０に表示させて、ピッキング対象の商品を特定してもよい。または、ピッキングリストが印刷された用紙を参照して、ピッキング対象の商品を特定してもよい。
【００２９】
上記処理手順に従えば、ピッキングの作業者は、それぞれの商品が格納されている倉庫や棚などを回りながら、ピッキングリストに載っている商品をピッキングして荷車に積んでいく際に、商品のバーコードの読み取り作業を行うことになる。ここで、ピッキングする順序は、必ずしもピッキングリストに載っている順に行われるとは限らない。例えば、作業者は、商品が管理されている倉庫や棚などの位置を考慮し、一筆書きのようなルートで回りながらピッキングリストに載っている商品をピッキングすれば、作業時間を短くすることができよう。ピッキングする順序は作業者が任意に決定してもよい。
【００３０】
ここで、商品はピッキングされた順に荷車に積み込まれることになる。従って、先にピッキングされた商品は荷車内の底の方に置かれ、その上に、後からピッキングされた商品が積まれることになる。即ち、先にピッキングされた商品は、検品の際に荷車から取り出しにくい位置に置かれる可能性が高いと言える。
【００３１】
図５は、ピッキング作業時にサーバ装置が実行する処理手順の一例を説明するためのフローチャートである。
【００３２】
サーバ装置３０のピッキング情報受信部３１は、ピッキング用端末２０から送信される商品コードの受信を待機している（Ｓ２０１）。ピッキング情報受信部３１は、商品コードを受信すると（Ｓ２０１でＹｅｓ）、当該商品コードを、ピッキング履歴記憶部３２に記憶する（Ｓ２０２）。例えば、ピッキング情報受信部３１は、商品コードの受信順が保持されるように、商品コードをピッキング履歴記憶部３２に記憶する。
【００３３】
以上のように、ピッキング用端末２０は、商品がピッキングされるたびに、商品コードの送信を逐次的に実行する。また、ピッキング履歴記憶部３２には、複数の商品コードの受信順が保持されるように商品コードが記憶される。したがって、ピッキング履歴記憶部３２には、商品のピッキング順が保持されるように商品コードが記憶される。
【００３４】
例えば、図６は、ピッキング順の一例を示す図である。図６では、作業者Ｗ１が、商品が保管されている倉庫内を、経路ｒ１に従って移動し、商品をピッキングした例が示されている。図６において、小文字のアルファベットと数字との組み合わせによる符号は、商品コードを示す。すなわち、図６には、ａ２、ａ１、ｃ３、ｃ１、ｂ２、ｂ３、ｃ２、及びｂ１の順で、商品がピッキングされた例が示されている。
【００３５】
この場合、ピッキング履歴記憶部３２には、例えば、図７に示されるようなピッキング履歴が記憶される。
【００３６】
図７は、ピッキング履歴記憶部の構成例を示す図である。図７において、ピッキング履歴記憶部３２は、ピッキングされた商品ごとに、ピッキング順、ピッキング時刻、及び商品コード等を記憶する。ピッキング時刻は、サーバ装置３０が、商品コードを受信した時刻でもよいし、ピッキング用端末２０が商品コードを読み取った時刻でもよい。後者の場合、ピッキング情報送信部２２は、商品コードに加えて、商品コードを読み取った時刻を、サーバ装置３０に送信してもよい。ここで、ピッキング履歴記憶部３２では、ピッキングされた順番が分かるように、商品コードが記憶されていればよい。従って、ピッキング順とピッキング時刻との両方を商品コードと対応づけて記憶していなくてもよい。もしくは、ピッキングした順に従って商品コードを順に記憶する、すなわち、記憶部に格納された順番がピッキングされた順番と同義であれば、ピッキング順やピッキング時刻の情報を記憶しなくても良い。
【００３７】
なお、ピッキング用端末２０は、一つの商品ごとに、商品コード等を送信しなくてもよい。例えば、ピッキング用端末２０は、ピッキング作業の終了時に、ピッキングされた全ての商品の商品コードの一覧をサーバ装置３０に送信してもよい。この場合、ピッキング用端末２０は、ピッキング順が保持されるように、商品コードを記憶しておけばよい。
【００３８】
続いて、検品時に実行される処理手順について説明する。図８は、第一の実施の形態において検品時に検品用端末が実行する処理手順の一例を説明するためのフローチャートである。図８の処理手順は、例えば、検品作業の作業者による指示が検品用端末１０に入力されると開始される。
【００３９】
ステップＳ３１０において、情報取得部１１は、ピッキングリスト記憶部３３に記憶されているピッキングリストと、ピッキング履歴記憶部３２に記憶されているピッキング履歴（図７）とをダウンロードする（Ｓ３１０）。
【００４０】
図９は、ピッキングリストの一例を示す図である。図９において、ピッキングリストは、出荷指示の対象とされた商品ごとに、商品コード及び個数等を含む。
【００４１】
続いて、ピッキングリストソート部１２は、ステップＳ３１０において取得されたピッキング履歴が示すピッキング順の降順又はピッキング時刻の降順（すなわち、ピッキング順の逆順）に、ピッキングリストの商品コードをソートする（Ｓ３２０）。
【００４２】
図１０は、ピッキングリストのソート結果の一例を示す図である。図１０では、図９に示したピッキングリストが、図７に示したピッキング順の降順にソートされた例が示されている。なお、図１０では、ピッキングリストの「個数」の項目は、便宜上、省略されている。
【００４３】
続いて、ピッキングリスト出力部１３は、変数ｉに１を代入する（Ｓ３３０）。続いて、ピッキングリスト出力部１３は、ソート後のピッキングリストのｉ番目の商品コードを音声出力する（Ｓ３４０）。すなわち、当該商品コードが、読み上げられるため、読み上げられた順に荷車から商品を取り上げ、ピッキングされた商品が、ピッキングリスト通りであるか等の検品作業を行うことができる。例えば、ピッキングされた商品の商品コードが、ピッキングリストに含まれており、当該商品コードに係る商品の個数が、ピッキングリスト通りであるか否かが確認される。検品の結果、正しいことが確認された商品は、例えば、出荷される。誤ってピッキングされた商品は、例えば、元の保管場所に戻される。
【００４４】
続いて、ピッキングリスト出力部１３は、変数ｉの値が、ピッキングリストの要素数以上であるか否かを判定する（Ｓ３５０）。ピッキングリストの要素数とは、ピッキングリストを構成する商品コードの数をいう。図１０の例において、ピッキングリストの要素数は、「８」である。したがって、ステップＳ３５０における判定は、ピッキングリストに含まれている全ての商品コードについて、音声出力が行われたか否かの判定に相当する。
【００４５】
変数ｉの値が、ピッキングリストの要素数未満である場合（Ｓ３５０でＮｏ）、ピッキングリスト出力部１３は、変数ｉに１を加算して（Ｓ３６０）、ステップＳ３５０を繰り返す。変数ｉの値が、ピッキングリストの要素数以上である場合（Ｓ３５０でＹｅｓ）、検品用端末１０は、図８の処理を終了させる。
【００４６】
なお、ピッキングリストのソートは、サーバ装置３０において行われてもよい。この場合、ステップＳ３１０では、ソート後のピッキングリストが取得されればよい。また、この場合、ステップＳ３２０は、実行されなくてよい。
【００４７】
上述したように、第一の実施の形態によれば、検品用端末１０は、ピッキング順とは逆順に、ピッキングリストに含まれている各商品コード等を読み上げる。したがって、検品用端末１０は、ピッキングによってカート又はカーゴ等の荷車に積載された商品の配列状況に適した順序で、商品コード等を読み上げることができる。
【００４８】
例えば、図６に示されるような順番でピッキングが行われた場合、荷車には、図１１に示されるように、商品が積載される傾向に有る。
【００４９】
図１１は、荷車における商品の積載状況の第一の例を示す図である。図１１に示されるように、ピッキング順が先である商品ほど下層に、ピッキング順が後である商品ほど上層に積載される傾向に有る。図１１に示される積載状況において、図１０に示される順番で、商品コードが読み上げられれば、作業者は、上層に有る商品から順に、検品を行うことができる。したがって、下層に有る商品を検品するために上層の商品を避けるといった作業が必要とされる頻度の低下を期待することができる。その結果、ピッキング作業を効率化することができる。
【００５０】
次に、第二の実施の形態について説明する。第二の実施の形態では第一の実施の形態と異なる点について説明する。したがって、特に言及されない点については、第一の実施の形態と同様でもよい。
【００５１】
図１２は、第二の実施の形態における各端末及びサーバ装置の機能構成例を示す図である。図１２中、図３と同一部分には同一符号を付し、その説明は省略する。
【００５２】
図１２において、サーバ装置３０は、商品情報記憶部３４を有する。商品情報記憶部３４は、各商品の属性情報を記憶する。第二の実施の形態では、検品時において、商品の属性情報（以下、「商品属性」という。）をも勘案されて、商品コードの読み上げ順序が決定される。
【００５３】
図１３は、第二の実施の形態において検品時に検品用端末が実行する処理手順の一例を説明するためのフローチャートである。図１３中、図８と同一ステップには同一ステップ番号を付し、その説明は省略する。
【００５４】
ステップＳ３１０ａにおいて、情報取得部１１は、ピッキングリスト記憶部３３に記憶されているピッキングリストと、ピッキング履歴記憶部３２に記憶されているピッキング履歴（図７）と、商品情報記憶部３４に記憶されている商品属性とをダウンロードする。
【００５５】
図１４は、商品情報記憶部の構成例を示す図である。図１４において、商品情報記憶部３４は、各商品の商品コードに対応付けて、重さ、サイズ、商品分類、及び梱包形態等の商品属性を記憶する。
【００５６】
重さは、商品の重さである。サイズは、商品のサイズである。サイズは、商品の外形を示す情報の一例である。サイズは、容積によって表現されてもよいし、外寸によって表現されてもよい。または、サイズは、大、中、小等の区分を示す値であってもよい。この場合、大、中、小は、例えば、商品間の相対的な大小関係を示す値でもよい。商品分類は、例えば、用途及び機能に基づく商品の種別を示す情報である。商品分類の値一例として、「飲料品」、「衣料品」、「電気製品」等が挙げられる。梱包形態は、商品の梱包の態様を示す情報である。梱包形態も、商品の外形を示す情報の一例であるといえる。
【００５７】
なお、ステップＳ３１０ａでは、ピッキングリストに含まれている商品コードに係る商品の商品属性が取得されればよい。
【００５８】
続いて、ピッキングリストソート部１２は、ピッキングリストに含まれる商品コードを、当該商品コードに対応付いている商品属性に含まれる重さの降順にソートする（Ｓ３１１）。続いて、ピッキングリストソート部１２は、重さでのソート後のピッキングリストに含まれる商品コードを、重さに関する１以上の閾値に基づいて、２又は３以上のグループに分類する。
【００５９】
図１５は、商品の重さに基づく商品コードの分類例を示す図である。図１５では、１０００ｇを閾値として、ピッキングリストが、１０００ｇ以上のグループＡと１０００ｇ未満のグループＢとに分類された例が示されている。なお、閾値が、２以上である場合は、３つ以上のグループに分類される。
【００６０】
続いて、ピッキングリストソート部１２は、ステップＳ３１０において取得されたピッキング履歴が示すピッキング順の降順又はピッキング時刻の降順（すなわち、ピッキング順の逆順）に、グループごとに、ピッキングリストの商品コードをソートする（Ｓ３２０）。すなわち、グループ間を跨っての商品コードの入れ替えは行われない。
【００６１】
図１６は、グループ単位でのピッキングリストのソート結果の一例を示す図である。図１６では、グループＡ内で、ピッキング順の逆順にソートされ、グループＢ内で、ピッキング順の逆順にソートされた例が示されている。
【００６２】
以降、図１６に示されるピッキングリストの順番で、商品コードの音声出力が実行される（Ｓ３３０〜Ｓ３６０）。
【００６３】
第二の実施の形態は、ピッキングの作業者は、商品の変形の回避等のため、重い商品と軽い商品とを分別して荷車に積載する傾向に有るという考えに基づく
例えば、図１７は、荷車における商品の積載状況の第二の例を示す図である。図１７では、重さが閾値以上である商品群であるグループＡと、重さが閾値未満である商品群であるグループＢとが分別されて積載された例が示されている。
【００６４】
このような場合、第二の実施の形態によれば、検品用端末１０は、分別状況に適した順序で、商品コード等を読み上げることができる。
【００６５】
なお、ピッキング順に拘わらず、後からピッキングされた重い商品は、既に積載されている軽い商品の下層に積載されることも考えられる。この場合、ステップＳ３１１では、重さの昇順にピッキングリストがソートされればよい。そうすることで、上層に有る可能性の高い軽い商品の商品コードが、下層に有る可能性の高い重い商品の商品コードよりも先に読み上げられるようにすることができる。
【００６６】
また、重さ以外の商品属性に基づいて、グループ分けが行われてもよい。例えば、サイズのような外形に基づいてグループ分けが行われてもよい。サイズが容積である場合、容積に対する閾値に基づいてグループ分けが行われてもよい。サイズが、大、中、小といった区分である場合、サイズの共通性に基づいてグループ分けが行われてもよい。但し、閾値に基づくグループ分けも、閾値以上であるという共通性、又は閾値未満であるという共通性の基づくグループ分けであると考えることができる。
【００６７】
また、商品分類又は梱包形態の共通性に基づいて、グループ分けが行われてもよい。ピッキングの作業者が、商品分類別に商品を積載すること、又は梱包形態別に商品を積載することも考えられるからである。
【００６８】
また、商品属性を構成する２以上の項目の組み合わせによってグループ分けが行われてもよい。また、図１４に示されていない他の属性に基づいて、グループ分けが行われてもよい。
【００６９】
更に、検品用端末１０は、いずれの商品属性に基づいてグループ分けを行うか、又はグループ分けを行わないかを、作業者に選択させてもよい。
【００７０】
また、ソートされたピッキングリストは、音声出力以外の出力形態によって出力されてもよい。例えば、検品用端末１０の表示装置１０６に、ソートされたピッキングリストを含む画面が出力されてもよい。又は、プリンタ等を用いて、ソートされたピッキングリストが印刷（紙出力）されてもよい。この場合、印刷されたピッキングリストを用いて検品作業が行われてもよい。
【００７１】
なお、上記各実施の形態において、検品用端末１０は、検品支援装置の一例である。情報取得部１１は、取得部の一例である。ピッキングリスト出力部１３は、出力部の一例である。商品情報読取部２１は、読取部の一例である。ピッキング履歴記憶部３２は、記憶部の一例である。
【００７２】
以上、本発明の実施例について詳述したが、本発明は斯かる特定の実施形態に限定されるものではなく、特許請求の範囲に記載された本発明の要旨の範囲内において、種々の変形・変更が可能である。
【００７３】
以上の説明に関し、更に以下の項を開示する。
（付記１）
ピッキングされた物品を順次検知することで得られた、複数の物品についてのピッキング順を示す情報を取得し、
前記ピッキング順とは逆の順で、前記複数の物品のそれぞれを示す情報を出力する、
処理をコンピュータに実行させるピッキングされた物品の検品支援プログラム。
（付記２）
前記複数の物品のそれぞれを示す情報は、音声出力、リスト出力、画面出力のいずれかである、ことを特徴とする付記１記載の検品支援プログラム。
（付記３）
前記複数の物品は、前記ピッキング順に荷車に搭載され、出力される前記情報に従って、該荷車から取り出されることを特徴とする付記１又は２記載の検品支援プログラム。
（付記４）
前記情報を出力する処理は、物品の属性に基づいて前記複数の物品が分類されるグループごとに、前記ピッキング順とは逆順で、前記複数の物品のそれぞれの情報を出力する、ことを特徴とする付記１乃至３いずれか一項記載の検品支援プログラム。
（付記５）
前記物品の属性は、物品の重さ、外形、又は物品の種別であることを特徴とする付記４記載の検品支援プログラム。
（付記６）
ピッキングされた物品を順次検知することで得られた、複数の物品についてのピッキング順を示す情報を取得し、
前記ピッキング順とは逆の順で、前記複数の物品のそれぞれを示す情報を出力する、
処理をコンピュータが実行するピッキングされた物品の検品支援方法。
（付記７）
前記複数の物品のそれぞれを示す情報は、音声出力、リスト出力、画面出力のいずれかである、ことを特徴とする付記６記載の検品支援方法。
（付記８）
前記複数の物品は、前記ピッキング順に荷車に搭載され、出力される前記情報に従って、該荷車から取り出されることを特徴とする付記６又は７記載の検品支援方法。
（付記９）
前記情報を出力する処理は、物品の属性に基づいて前記複数の物品が分類されるグループごとに、前記ピッキング順とは逆順で、前記複数の物品のそれぞれの情報を出力する、ことを特徴とする付記６乃至８いずれか一項記載の検品支援方法。
（付記１０）
前記物品の属性は、物品の重さ、外形、又は物品の種別であることを特徴とする付記９記載の検品支援方法。
（付記１１）
ピッキングされた物品を順次検知することで得られた、複数の物品についてのピッキング順を示す情報を取得する取得部と、
前記ピッキング順とは逆の順で、前記複数の物品のそれぞれを示す情報を出力する出力部と、
を有するピッキングされた物品の検品支援装置。
（付記１２）
前記複数の物品のそれぞれを示す情報は、音声出力、リスト出力、画面出力のいずれかである、ことを特徴とする付記１１記載の検品支援装置。
（付記１３）
前記複数の物品は、前記ピッキング順に荷車に搭載され、出力される前記情報に従って、該荷車から取り出されることを特徴とする付記１１又は１２記載の検品支援装置。
（付記１４）
前記出力部は、物品の属性に基づいて前記複数の物品が分類されるグループごとに、前記ピッキング順とは逆順で、前記複数の物品のそれぞれの情報を出力する、ことを特徴とする付記１１乃至１３いずれか一項記載の検品支援装置。
（付記１５）
前記物品の属性は、物品の重さ、外形、又は物品の種別であることを特徴とする付記１４記載の検品支援装置。
（付記１６）
置かれている場所がそれぞれ異なる複数の物品が、該置かれている場所から取り出され荷車に積載される際に、該物品の識別子を読み込む読取部と、
前記読取部により読み込まれた識別子を、該識別子が読み込まれた順序を特定可能に記憶する記憶部と、
前記荷車に積載された物品についての検品作業を開始する旨の指示を付け付けると、前記記憶部に記憶された順序の逆順に、前記記憶部に記憶された前記識別子により特定される物品の情報を出力する出力部と、
を有することを特徴とする物品の検品支援システム。
【符号の説明】
【００７４】
１            情報出力システム
１０          検品用端末
１１          情報取得部
１２          ピッキングリストソート部
１３          ピッキングリスト出力部
２０          ピッキング用端末
２１          商品情報読取部
２２          ピッキング情報送信部
３０          サーバ装置
３１          ピッキング情報受信部
３２          ピッキング履歴記憶部
３３          ピッキングリスト記憶部
３４          商品情報記憶部
４０          アクセスポイント
１０２        補助記憶装置
１０３        メモリ装置
１０４        ＣＰＵ
１０５        インタフェース装置
１０６        表示装置
１０７        入力装置
Ｂ            バス
【図１】
2015089838.tif 000003
【図２】
2015089838.tif 000004
【図３】
2015089838.tif 000005
【図４】
2015089838.tif 000006
【図５】
2015089838.tif 000007
【図６】
2015089838.tif 000008
【図７】
2015089838.tif 000009
【図８】
2015089838.tif 000010
【図９】
2015089838.tif 000011
【図１０】
2015089838.tif 000012
【図１１】
2015089838.tif 000013
【図１２】
2015089838.tif 000014
【図１３】
2015089838.tif 000015
【図１４】
2015089838.tif 000016
【図１５】
2015089838.tif 000017
【図１６】
2015089838.tif 000018
【図１７】
2015089838.tif 000019